(57)【要約】【課題】簡単な構造で浸入した水を収納し、且つ水やほこりが機能部材の摺動部位へ入り込むことを効果的に防止し、機能部材の摺動性能を効果的に維持できるサンルーフ装置を提供すること。【解決手段】サンルーフ装置は、ルーフ開口を開閉する可動パネルと、前記ルーフ開口の中心に近い一端が前記可動パネルに連結し、前記ルーフ開口の中心から離れる他端が前記サンルーフ装置の全閉状態において、前記ルーフ開口の縁部に対して、前記ルーフ開口の中心から離れる側に位置するパネル補強部と、を備え、前記パネル補強部は、前記ルーフ開口の縁部の下方に位置し、切欠き又は穴を有する凹部を有する。【選択図】図５
2020006934.tif 000002
【特許請求の範囲】
【請求項１】
サンルーフ装置であって、
前記サンルーフ装置の全開状態において、ルーフの下方に位置し、ルーフ開口を開閉する可動パネルと、
前記ルーフ開口の中心に近い一端が前記可動パネルに連結し、前記ルーフ開口の中心から離れる他端が前記サンルーフ装置の全閉状態において、前記ルーフ開口の縁部に対して、前記ルーフ開口の中心から離れる側に位置するパネル補強部と、を備え、
前記パネル補強部は、前記サンルーフ装置の全閉状態において、前記ルーフ開口の縁部の下方に位置する凹部を有することを特徴とする、サンルーフ装置。
【請求項２】
前記パネル補強部は、前記可動パネルの剛性を保持可能なフレーム部材であり、接着または射出成形により前記可動パネルに固定されることを特徴とする、請求項１に記載のサンルーフ装置。
【請求項３】
前記凹部は、前記サンルーフ装置の全閉状態において、前記ルーフ開口の車両幅方向において対向する両側縁部の下方、及び前記ルーフ開口の車両前後方向において対向する縁部のうちの、前記車両の後方の後縁部の下方のみに設置されることを特徴とする、請求項１に記載のサンルーフ装置。
【請求項４】
前記凹部の前記ルーフ開口の中心から離れる側には、前記パネル補強部とルーフとの間に防水弾性体が設けられることを特徴とする、請求項２又は３に記載のサンルーフ装置。
【請求項５】
前記可動パネルの縁部にシール部材が設けられ、前記防水弾性体と前記シール部材が一体成形されることを特徴とする、請求項４に記載のサンルーフ装置。
【請求項６】
前記凹部における前記ルーフ開口の縁部と対向する位置に、切欠き又は穴を有することを特徴とする、請求項１に記載のサンルーフ装置。
【請求項７】
前記ルーフ開口の車両幅方向において対向する両側縁部に、車両前後方向に沿って設置された一対のレール部材と、
該一対のレール部材に沿って移動可能であり、前記可動パネルを前記ルーフ開口を開閉できるように支持する機能部材と、をさらに備え、
前記パネル補強部の前記ルーフ開口の中心から離れる前記他端と、該機能部材に支持される機能部材支持部とが連結することを特徴とする、請求項１に記載のサンルーフ装置。
【発明の詳細な説明】
【技術分野】
【０００１】
本発明は、サンルーフ装置に関する。特に車両用のサンルーフ装置に関する。
【背景技術】
【０００２】
従来技術において、車両ルーフに形成された略四角形の開口の車両幅方向にて対向する両縁部に一対のガイドレールが設けられ、機能部材が該一対のガイドレールに沿って移動することにより、可動パネルを該開口を開閉できるように支持するサンルーフ装置が知られている。機能部材は、例えば、可動パネルを支持して前後方向に移動させるシュー、及び可動パネルを支持して傾動させるブラケット等である。
【０００３】
例えば、特許文献１にはサンルーフ装置が開示されており、具体的に、模式的に特許文献１の図３の一部を示す本発明の図７を参照して、該サンルーフ装置において、パネル補強部１０１により可動パネル１００を支持し、浸入した水を収納する部材１０２がパネル補強部１０１の下方に別途で設けられている。
【先行技術文献】
【特許文献】
【０００４】
【特許文献１】中国実用新案第２０３６６６３５２号明細書
【発明の概要】
【発明が解決しようとする課題】
【０００５】
しかしながら、特許文献１に係るサンルーフ装置には、浸入した水を収納する部材が別途で設けられるため、部品点数を増やし、構造が複雑になるという問題がある。
また、従来技術には、外部の水やほこり等が可動パネルとルーフ開口部との間の隙間を通して機能部材の設置スペースに入り込みやすく、機能部材の摺動性能が劣化しやすくなる、という問題がある。
【０００６】
本発明の目的は、簡単な構造で浸入した水を収納し、かつ水やほこり等が機能部材の設置スペースに入り込むことを効果的に防止することができ、機能部材の摺動性能を効果的に維持するサンルーフ装置を提供することにある。
【課題を解決するための手段】
【０００７】
上記課題を解決する本発明のサンルーフ装置は、その全開状態において、ルーフの下方に位置し、ルーフ開口を開閉する可動パネルと、前記ルーフ開口の中心に近い一端が前記可動パネルに連結し、前記ルーフ開口の中心から離れる他端が前記サンルーフ装置の全閉状態において、前記ルーフ開口の縁部に対して、前記ルーフ開口の中心から離れる側に位置するパネル補強部と、を備え、前記パネル補強部は、前記サンルーフ装置の全閉状態において、前記ルーフ開口の縁部の下方に位置する凹部を有する。
【０００８】
上記構成によれば、ルーフ開口の縁部の下方にあるパネル補強部に、凹部が設置されているため、パネル側で流れ込む水を受けることができる。
上記課題を解決するサンルーフ装置において、前記パネル補強部は、前記可動パネルの剛性を保持可能なフレーム部材であり、接着または射出成形により前記可動パネルに固定されることが好ましい。
【０００９】
上記構成によれば、可動パネルを確実に支持できる。
上記課題を解決するサンルーフ装置において、前記凹部は、前記サンルーフ装置の全閉状態において、前記ルーフ開口の車両幅方向において対向する両側縁部の下方、及び前記ルーフ開口の在車両前後方向において対向する縁部のうちの、前記車両後方の後縁部の下方のみに設置されることが好ましい。
【００１０】
上記構成によれば、可動パネルの前縁部にあるパネル補強部には、凹部が設置されていないので、車両前方側に、凹部の存在により、ルーフ開口にある他の部材に引っ掛かる虞がなく、サンルーフ装置をスムーズに開閉できる。
【００１１】
上記課題を解決するサンルーフ装置において、前記凹部の前記ルーフ開口の中心から離れる側には、前記パネル補強部とルーフとの間に防水弾性体が設けられることが好ましい。
【００１２】
上記構成によれば、水やほこり等が機能部材の設置スペースに入り込むことを効果的に防止できる。
上記課題を解決するサンルーフ装置において、前記可動パネルの縁部にシール部材が設けられ、前記防水弾性体と前記シール部材が一体成形されることが好ましい。
【００１３】
上記構成によれば、防水弾性体とシール部材を一体成形させることにより、さらに部品を減少させ、構造を簡素化させることができる。
上記課題を解決するサンルーフ装置において、前記凹部における前記ルーフ開口の縁部と対向する位置に、切欠き又は穴を有することが好ましい。
【００１４】
上記構成によれば、レール部材の任意の位置で水を排出できるため、従来技術のように、ルーフ開口の後方部に別途で排水部材を設置することなく、例えばデフレクタアーム等を収納する従来の構造を排水部として用いることができ、サンルーフ装置を軽量化させるとともに、コストダウンが図られる。
【００１５】
上記課題を解決するサンルーフ装置は、ルーフ開口の車両幅方向において対向する両側縁部に、車両前後方向に沿って設置された一対のレール部材と、該一対のレール部材に沿って移動可能であり、前記可動パネルを前記ルーフ開口を開閉できるように支持する機能部材と、を備え、前記パネル補強部の前記ルーフ開口の中心から離れる前記他端と、該機能部材に支持される機能部材支持部とが、連結することが好ましい。
【図面の簡単な説明】
【００１６】
【図１】ルーフに形成されたサンルーフ装置を示す模式的斜視図である。
【図２】本実施形態におけるサンルーフ装置を示す後側断面図である。
【図３】本実施形態におけるサンルーフ装置を示す後側断面図である。
【図４】本実施形態におけるサンルーフ装置を示す左側断面図である。
【図５】本実施形態におけるサンルーフ装置を示す右側断面図である。
【図６】本実施形態におけるサンルーフ装置の前側と後側を模式的に示す断面図である。
【図７】従来技術を示す図である。
【発明を実施するための形態】
【００１７】
以下、図１〜６を参照しながら、本実施形態のサンルーフ装置について詳細に説明する。
図１において、「前」方向は、車両の前方に向いている方向を示し、「後」方向は、車両の後方に向いている方向を示し、「左」方向は、車両の前方に向いているときの左側の方向を示し、「右」方向は、車両の前方に向いているときの右側の方向を示し、「前後方向」は、「車両前後方向」に対応し、「左右方向」は、「車両幅方向」に対応する。図２、３、６における「前後方向」も、「車両前後方向」に対応する。
【００１８】
図４、５において、紙面の表裏方向は、車両前後方向であり、紙面の左右方向は、車両幅方向であり、紙面の上下方向は、車両上下方向である。図４は、車両左側のレール部材での断面図を示し、図５は、車両右側のレール部材での断面図を示す。
【００１９】
図１〜６に示されるように、本実施形態におけるサンルーフ装置１は、一対のレール部材１０、１０、可動パネル３、機能部材４、パネル補強部８、デフレクタ、防水弾性体９を備える。
【００２０】
一対のレール部材１０、１０は、ルーフ２０に形成されたルーフ開口２の車両幅方向において対向する両側縁部に、車両前後方向に沿って設置される。
可動パネル３は、ルーフ開口２を開閉する透明なパネルである。図２、３に示されるように、本実施形態に係るサンルーフ装置１は、全開状態にあるとき、すなわち可動パネル３の移動によりルーフ開口２を完全に開くとき、可動パネル３がルーフ２０の下方に位置する、いわゆるインナースライド式サンルーフ装置である。具体的に、ルーフ開口２を開くとき、まず、可動パネル３を下降させてから、図３における中空矢印に示されるように、可動パネル３を後方へルーフ２０の下方までスライドさせる。全閉状態において外部の水やほこり等が可動パネル３とルーフ開口２の間の隙間を通して入り込むことを防止するように、可動パネル３の縁部に、ルーフ開口２の縁部に当接されてシールするシール部材７（ウェザーストリップ）が設置される。図５、６に示されるように、シール部材７の一部は、ルーフ板の折り曲げ部と車両幅方向に圧接する本体部分と、本体部分に接続され、且つサンルーフ装置の全閉状態において、ルーフ板の折り曲げ部の下端と車両の上下方向に圧接する圧接部分と、を備える弾性構造であってもよい。それにより、外部の水やほこり等が可動パネル３とルーフ開口２の間の隙間を通して入り込むことをさらに防止できる。
【００２１】
機能部材４は、一対のレール部材１０、１０に沿って移動可能であり、可動パネル３をルーフ開口２を開閉できるように支持するように設置される。機能部材４は、例えば、一対のレール部材１０、１０に沿ってスライドする一対のシューである。一対のシューにより可動パネル３を車両前後方向に移動させることができる。機能部材４は、可動パネル３を支持する一対のブラケット（不図示）をさらに含んでもよい。ブラケットにより、可動パネル３を車両上下方向に傾動させ、すなわちブラケットが固定軸周りに回動することにより可動パネル３を上向き又は下向きに傾斜させることができる。
【００２２】
パネル補強部８は、機能部材４と可動パネル３の間に設置され、可動パネル３の剛性を保持可能なフレーム部材であり、接着又は射出成形により可動パネル３に固定される。該フレーム部材は、例えば剛性の高い金属から構成される。パネル補強部８は、可動パネル３の前後左右の４つの端縁部に設置され、互いに独立する４つの部材であってもよいし、一体成形された部材であってもよい。
【００２３】
図４、５に示されるように、パネル補強部８は、ルーフ開口２の中心Ｃ（図１参照）に近い一端８１が可動パネル３に接続され、ルーフ開口２の中心Ｃから離れる他端８２がサンルーフ装置１の全閉状態において、ルーフ開口２の縁部（左側縁部２１、右側縁部２２）に対して、ルーフ開口２の中心Ｃから離れる側に位置する。パネル補強部８のルーフ開口２の中心Ｃから離れる他端８２と、該機能部材４に支持される機能部材支持部５とが、連結する。別の実施形態において、パネル補強部材８と機能部材支持部５は、一体成形される構造としてもよい。上記接続構造によって、機能部材４がレール部材１０に沿って移動する際に、可動パネル３を安定的に支持できる。
【００２４】
パネル補強部８は、ルーフ開口２の縁部の下方に位置し、ルーフ開口２の縁部と対向する位置に切欠き又は穴８４を有する凹部８３を有する。凹部８３の下方にレール部材１０の排水部１５が配置されることにより、設置された切欠き又は穴８４を介して水を容易に外部へ排出できる。具体的に、車両左側又は右側で、車両上下方向において、ルーフ開口２の縁部の直下に、凹部８３が形成され、凹部８３の直下に排水部１５が形成されるように構成されている。さらに、車両後側にあるパネル補強部８には、サンルーフ装置１の全閉状態において、車両上下方向に、ルーフ開口２の縁部の直下にパネル補強部８の凹部８３が形成されている。
【００２５】
図３、６に示されるように、可動パネル３は、車両後方へスライドすることでルーフ開口２を開く。凹部８３は、ルーフ開口２の車両幅方向において対向する両側縁部（左側縁部２１と右側縁部２２）の下方、及びルーフ開口２の車両前後方向において対向する縁部のうちの、車両後方に位置する後縁部２４の下方のみに設置される。すなわち、可動パネル３の先端縁にあるパネル補強部８に凹部８３が設置されておらず、これは、可動パネル３が後方へスライドしてルーフ開口２を開く際に、可動パネル３の先端縁が上方へ傾動する上向き傾斜をするため、先端縁にあるパネル補強部８に該凹部が設置されると、凹部がルーフ部品に引っ掛かって、可動パネル３をスムーズに開けないという不良を招く虞があるためである。
【００２６】
図４、５に示されるように、デフレクタのデフレクタアーム１７は、レール部材１１の排水部１５に設置される。具体的に、レール部材１０毎に、機能部材収納部１１と排水部１５を備える。溝状に形成された排水部１５は、仕切壁１６を挟んで機能部材収納部１１の車両幅方向における内側に設置される。
【００２７】
デフレクタは、サンルーフ装置の開け状態で、車両前方から入る空気を整流するために用いて、車両幅方向に沿って延伸するデフレクタ本体（不図示）と、車両前後方向に沿って延伸するデフレクタアーム１７と、を備える。具体的に、デフレクタ本体は、デフレクタアーム１７よりも車両前方に設置され、且つデフレクタアーム１７の後端を支点として回動できる。より具体的に、車両前方において、一対のレール部材１０、１０の排水部１５の間にデフレクタのデフレクタ本体が設置され、一対のデフレクタアーム１７、１７は、それぞれ両側のレール部材１０の排水部１５に設置される。これにより、デフレクタからの水が容易に排水部１５に流入して外部へ排出できる。排水部に設置されたデフレクタアーム１７で凹部８３の穴８４等から落下した水等を直接受け止めることで、水が車室内へ跳ね返ることを防止できる。
【００２８】
図４、５に示されるように、防水弾性体９は、パネル補強部８とルーフ２０の間に設置され、且つ凹部８３のルーフ開口２の中心Ｃから離れる側に設置される。防水弾性体９は周知のＯリングなどの弾性シール部材であってもよい。防水弾性体９は、ルーフ２０の下面に固定されてもよく、パネル補強部材８の他端８２に固定されてもよい。本実施形態において、防水弾性体９はシール部材７とは異なる部材であるが、防水弾性体９は、シール部材７と一体成形されてもよい。例えば防水弾性体９は、シール部材７の本体部分又は圧接部分に直接に接続されてもよい。パネル補強部８とルーフ２０との間に該防水弾性体９を設置することで、一部の水やほこりがシール部材７とルーフ開口２の間の隙間を通して入り込んでも、これらの水やほこりを機能部材収納部１１の外部で効果的に止めて、さらに機能部材４の摺動性能を維持することができる。
【００２９】
以上、本発明の好適実施形態を説明したが、本発明はそれに限定されず、本発明の趣旨を逸脱しない範囲内に、様々な変形が可能である。
例えば、上記実施形態において、パネル補強部の材質として金属が使用されるが、本発明はそれに限定されず、高い剛性を有し、可動パネルを確実に支持できる材質であればよい。
【００３０】
例えば、上記実施形態において、デフレクタアームを収納する部位に排水部が形成された構造について説明したが、排水部の構造はそれに限定されず、排水部を別部材としてルーフ開口の後方部に設置してもよい。
【００３１】
例えば、上記実施形態において、凹部に穴又は切欠きが開口した例について説明した。しかしながら、本発明はそれに限定されず、凹部に穴又は切欠きが開口しなくてもよい。
上記実施形態において、可動パネルが車両後方へスライドすることでルーフ開口を開く構造について説明したが、本発明はそれに限定されず、可動パネルが車両前方へスライドすることでルーフ開口を開く構造としてもよい。
【００３２】
上記実施形態において、サンルーフ装置には可動パネルのみを備える構造について説明したが、本発明はそれに限定されず、ルーフに透明な固定パネルが設置され、全開状態において、可動パネルは、固定パネルの下方に位置するように構成されてもよい。
【００３３】
以上、具体例を参照しながら、本実施形態について説明した。しかしながら、本発明は該具体例に限定されない。当業者が該具体例の設計を適切に変更して得られた設計は、本発明の特徴を具備する限り、本発明の範囲に含まれる。
【符号の説明】
【００３４】
１…サンルーフ装置、１０…レール部材、１１…機能部材収納部、１５…排水部、１６…仕切壁、１７…デフレクタアーム、２…ルーフ開口、２０…ルーフ、２１…左側縁部、２２…右側縁部、２３…前縁部、２４…後縁部、３…可動パネル、４…機能部材、５…機能部材支持部、７…シール部材、８…パネル補強部、８１…一端、８２…他端、８３…凹部、８４…穴、９…防水弾性体。
【図１】
2020006934.tif 000003
【図２】
2020006934.tif 000004
【図３】
2020006934.tif 000005
【図４】
2020006934.tif 000006
【図５】
2020006934.tif 000007
【図６】
2020006934.tif 000008
【図７】
2020006934.tif 000009